(57)【要約】【課題】  飲用される水の溶存水素量を低下させることなく一定の範囲に保持することができる新規な電解式浄水装置を提供する。【解決手段】  水を浄水するカーボンフィルタ１３等と、この逆浸透膜フィルタ１６等を経た水が貯留される冷水タンク２２と、この冷水タンク２２に貯留された水を吐水する冷水用吐水口３とを備えた浄水装置であって、上記カーボンフィルタ１３等を経た水から純水を生成する逆浸透膜フィルタ１６と、この逆浸透膜フィルタ１６から生成された純水を上記冷水タンク２２に供給する供給ルートと、上記逆浸透膜フィルタ１６により生成された純水の一部を電気分解することにより水素ガスを生成する電解装置３２と、上記冷水タンク２２内から処理水を取り出し再び該冷水タンク２２に戻す循環ルートと、この循環ルートの中途部に配置され、上記冷水タンク２２から取り出された処理水と上記水素ガスとを一緒に該冷水タンク２２に戻す循環ポンプ６２と、を備えてなるものである。【選択図】  図３
2010207691.tif 000002
【特許請求の範囲】
【請求項１】
水を浄水する浄水処理部と、この浄水処理部を経た水が貯留される処理水タンクと、この処理水タンクに貯留された水を吐水する吐水部とを備えた浄水装置であって、
上記浄水処理部を経た水から純水を生成する純水生成部と、
この純水生成部から生成された純水を上記処理水タンクに供給する供給ルートと、
上記純水生成部により生成された純水の一部を電気分解することにより水素ガスを生成する水素ガス生成部と、
上記処理水タンク内から処理水を取り出し再び該処理水タンクに戻す循環ルートと、
この循環ルートの中途部に配置され、上記処理水タンクから取り出された処理水と上記水素ガスとを一緒に該処理水タンクに戻す循環ポンプと、
を備えてなることを特徴とする電解式浄水装置。
【請求項２】
前記循環ルートの中途部であって、前記循環ポンプと処理水タンクとの間には、前記水素ガスの気泡を微細化させる気泡微細化フィルタが配置されてなることを特徴とする請求項１記載の電解式浄水装置。
【請求項３】
前記循環ポンプと水素ガス生成部とは、タイマが内蔵された制御装置に接続されてなるとともに、この制御装置には光照度センサが接続され、
上記光照度センサを介して上記制御装置が所定の照度であると判別した場合には、タイマを介して、上記循環ポンプと水素ガス生成部とを所定時間に亘って駆動と停止とを繰り返すようにされてなることを特徴とする請求項１又は２記載の何れかの電解式浄水装置。
【請求項４】
前記水素ガス生成部には、前記純水の電気分解により水素ガスと共に生成された酸素ガスを流出する酸素ガス流出ルートが接続され、この酸素ガス流出ルートの先端は、使用者が吸引する酸素ガスを放出する酸素ガス放出口とされてなることを特徴とする請求項１，２又は３記載の何れかの電解式浄水装置。
【請求項５】
前記酸素ガス流出ルートの中途部には前記酸素ガスを送り出すファンが配置されてなるとともに、このファンは、前記制御装置に接続されてなるとともに、該制御装置には、酸素放出用スイッチが接続されてなり、
前記循環ポンプと水素ガス生成部の駆動が停止している際に上記酸素放出用スイッチがオン操作されたと上記制御装置が判別した場合には、上記ファンと循環ポンプと水素ガス生成部とが駆動を開始することを特徴とする請求項４記載の電解式浄水装置。
【発明の詳細な説明】
【技術分野】
【０００１】
本発明は、水道水等を浄水し、一般家庭や事業所などにおいて飲用される水を供給するために使用される電解式浄水装置に関するものである。
【背景技術】
【０００２】
近年、健康志向の高まりから、上水道から供給される水道水を浄水する浄水装置が広く普及している。特に、家庭で使用されるものでは、上方から水を注ぐことにより水の自重で活性炭や鉱石等を含む濾過フィルタを通過させるタイプのものや、水道管に接続させ濾過フィルタを通過させた後に弁（蛇口又はコック）を開放することにより水道の水圧を利用して水を吐出させるタイプのもの、さらには水道管から供給された水道水を濾過フィルタ等で濾過した水をタンクに貯留させておき、その水を適宜排出して飲料するタイプのものが実施されている。
【０００３】
ところで、こうした浄水装置には、これまで電気分解機能を付加したものが提案されている。すなわち、上水道から供給された水道水を電気分解することにより、水素ガスを生成し、この水素ガスを上記水道水に溶解させる機能を備えた浄水装置である。この浄水装置は、処理水中における溶存水素量を上げて酸化還元電位を低下させることを主目的としたものであり、溶存水素を増加させることにより、健康に有用な水に改質するものである（特許文献１，２参照）。
【先行技術文献】
【特許文献】
【０００４】
【特許文献１】特開２００５−２６１９９９号公報
【特許文献２】特許第２６０５６４２号公報
【発明の概要】
【発明が解決しようとする課題】
【０００５】
しかしながら、上記各特許文献に開示された浄水装置では、水の溶存水素量は、時間の経過により徐々に低下し、飲用する際における溶存水素量は極めて微量となってしまう場合が多く、上述した水の改質による効果も時間の経過により半減されて行く。
【０００６】
そこで、本発明は、上述した従来の電解式浄水装置が有する課題を解決するために提案されたものであって、飲用される水の溶存水素量を低下させることなく常に一定の範囲に保持することができる新規な電解式浄水装置を提供することを目的とするものである。
【課題を解決するための手段】
【０００７】
本発明は、上記の課題を解決するために提案されたものであって、第１の発明（請求項１記載の発明）に係る電解式浄水装置は、水を浄水する浄水処理部と、この浄水処理部を経た水が貯留される処理水タンクと、この処理水タンクに貯留された水を吐水する吐水部とを備えた浄水装置であって、上記浄水処理部を経た水から純水を生成する純水生成部と、この純水生成部から生成された純水を上記処理水タンクに供給する供給ルートと、上記純水生成部により生成された純水の一部を電気分解することにより水素ガスを生成する水素ガス生成部と、上記処理水タンク内から処理水を取り出し再び該処理水タンクに戻す循環ルートと、この循環ルートの中途部に配置され、上記処理水タンクから取り出された処理水と上記水素ガスとを一緒に該処理水タンクに戻す循環ポンプと、を備えてなることを特徴とするものである。
【０００８】
この第１の発明では、水道水などの水は、先ず浄水処理部にて浄水され、その後、純水生成部により純水となって一部は処理水タンクに貯留される。他の一部は、水素ガス生成部に送られることにより電気分解される。この電気分解されたことにより水素ガスが生成される。この生成された水素ガスは、循環ポンプにより、上記処理水タンクから取り出された水に溶解しながら上記循環ルートを経て処理水タンクに貯留される。なお、この処理水タンク内の水は、吐水部から外部に吐水され、これを使用者は飲用することができる。したがって、この電解式浄水装置によれば、処理水タンク内に貯留される水は、上記循環ポンプの駆動により循環ルートを経て循環することにより、処理水中の溶存水素量が徐々に増加することとなり、使用者は溶存水素量が飽和状態に近い状態で飲用することが可能となる。
【０００９】
また、第２の発明（請求項２記載の発明）は、前記第１の発明において、前記循環ルートの中途部であって、前記循環ポンプと処理水タンクとの間には、前記水素ガスの気泡を微細化させる気泡微細化フィルタが配置されてなることを特徴とするものである。
【００１０】
この第２の発明に係る電解式浄水装置では、前記気泡微細化フィルタにより水素ガスの気泡を微細化させることから、処理水中の溶存水素量をより高めることができる。
【００１１】
また、第３の発明（請求項３記載の発明）は、前記第１又は第２の発明において、前記循環ポンプと水素ガス生成部とは、タイマが内蔵された制御装置に接続されてなるとともに、この制御装置には光照度センサが接続され、上記光照度センサを介して上記制御装置が所定の照度であると判別した場合には、タイマを介して、上記循環ポンプと水素ガス生成部とを所定時間に亘って駆動と停止とを繰り返すようにされてなることを特徴とするものである。
【００１２】
この第３の発明に係る電解式浄水装置では、光照度センサにより、制御装置が所定の光の照度に達したと判断した場合には、上記循環ポンプと水素ガス生成部とがともに駆動を開始する。そして、これら循環ポンプと水素ガス生成部との駆動が所定時間経過したとタイマを介して制御装置が判別した場合には、所定時間だけ該循環ポンプと水素ガス生成部との駆動を停止し、また更に該循環ポンプと水素ガス生成部との停止が所定時間経過したと制御装置が判別した場合には、再び制御装置は循環ポンプと水素ガス生成部との駆動を開始する。このように、この第３の発明に係る電解式浄水装置では、循環ポンプと水素ガス生成部との駆動の開始及び停止を繰り返すように制御され、常時循環ポンプと水素ガス生成部とが駆動し続けるものではない。したがって、この第３の発明に係る電解式浄水装置によれば、処理水中の溶存水素量を一定量に保つことができるばかりではなく、節電を図ることができる。
【００１３】
また、第４の発明（請求項４記載の発明）は、前記第１、第２又は第３の発明において、前記水素ガス生成部には、前記純水の電気分解により水素ガスと共に生成された酸素ガスが流通する酸素ガス流通ルートが接続され、この酸素ガス流通ルートの先端は、使用者が吸引する酸素ガスを放出する酸素ガス放出口とされてなることを特徴とするものである。
【００１４】
この第４の発明に係る電解式浄水装置では、純水を電気分解することにより水素ガスと共に発生した酸素ガスは、上記酸素ガス流通ルート内を通過して酸素ガス放出口から放出される。したがって、この第４の発明によれば、使用者は、酸素ガス放出口から放出された酸素を体内に取り込むことができ、電気分解により生成された酸素ガスを有効に利用することが可能となる。
【００１５】
また、第５の発明（請求項５記載の発明）は、前記第４の発明において、前記酸素ガス流通ルートの中途部には前記酸素ガスを送り出すファンが配置されてなるとともに、このファンは、前記制御装置に接続されてなるとともに、該制御装置には、酸素放出用スイッチが接続されてなり、前記循環ポンプと水素ガス生成部の駆動が停止している際に上記酸素放出用スイッチがオン操作されたと上記制御装置が判別した場合には、上記ファンと循環ポンプと水素ガス生成部とが駆動を開始することを特徴とするものである。
【００１６】
この第５の発明に係る電解式浄水装置では、前記循環ポンプと水素ガス生成部の駆動が停止している際において、上記酸素放出用スイッチがオン操作されたと上記制御装置が判別した場合には、上記ファンと循環ポンプと水素ガス生成部とが駆動を開始する。したがって、こうした水素ガス生成部と循環ポンプの駆動開始により、水素ガスが生成され処理水タンク内の溶存水素量が強制的に増加するばかりではなく、上記ファンの駆動開始により、酸素ガス流通ルート内に流入した酸素ガスは、所定の圧力により前記酸素ガス放出口から放出される。したがって、この第５の発明に係る電解式浄水装置によれば、循環ポンプと水素ガス生成部の駆動が停止している場合においても、使用者に酸素ガスを吸引する必要性が生じた場合には、いつでも上記スイッチをオン操作することにより酸素ガスを吸引することが可能となる。
【発明の効果】
【００１７】
第１の発明（請求項１記載の発明）では、上記水素ガス生成部により生成された水素ガスは、循環ポンプにより、上記処理水タンクから取り出された水に溶解しながら上記循環ルートを経て処理水タンクに貯留されることから、処理水中の溶存水素量が徐々に増加することとなり、使用者は溶存水素量が飽和状態に近い状態で飲用することが可能であるとともに、飲用される水の溶存水素量を低下させることなく一定の範囲に保持することができる。
【００１８】
また、第２の発明（請求項２記載の発明）では、前記気泡微細化フィルタにより水素ガスの気泡を微細化させることから、処理水中の溶存水素量をより高めることができ、飲用される水の溶存水素量を低下させることなく一定の範囲に保持することができる。
【００１９】
また、第３の発明（請求項３記載の発明）では、前記循環ポンプと水素ガス生成部との駆動の開始及び停止を繰り返すように制御され、常時循環ポンプと水素ガス生成部とが駆動し続けるものではないことから、処理水中の溶存水素量を一定量に保つことができるばかりではなく、節電を図ることができる。
【００２０】
また、第４の発明（請求項４記載の発明）では、純水を電気分解することにより水素ガスと共に発生した酸素ガスは、前記酸素ガス流通ルート内に流入して酸素ガス放出口から放出されることから、使用者は、酸素ガス放出口から放出された酸素ガスを体内に取り込むことができ、電気分解により生成された酸素ガスを有効に利用することが可能となる。
【００２１】
また、第５の発明（請求項５記載の発明）では、前記循環ポンプと水素ガス生成部の駆動が停止している際において、上記酸素放出用スイッチがオン操作されたと上記制御装置が判別した場合には、上記ファンと循環ポンプと水素ガス生成部とが駆動を開始し、こうした水素ガス生成部と循環ポンプの駆動開始により、水素ガスが生成され処理水タンク内の溶存水素量が強制的に増加するばかりではなく、上記ファンの駆動開始により、酸素ガス流通ルート内に流入した酸素ガスは、所定の圧力により前記酸素ガス放出口から放出される。したがって、この第５の発明に係る電解式浄水装置によれば、循環ポンプと水素ガス生成部の駆動が停止している場合においても、使用者に酸素ガスを吸引する必要性が生じた場合には、いつでも上記スイッチをオン操作することにより酸素ガスを吸引することが可能となる。
【図面の簡単な説明】
【００２２】
【図１】本発明の実施の形態に係る電解式浄水装置を示す外形斜視図である。
【図２】図１に示す電解式浄水装置の部分図であって、（ａ）は表示パネル、（ｂ）は操作パネルをそれぞれ示す正面図である。
【図３】本発明の実施の形態に係る電解式浄水装置の構成を示す模式図である。
【図４】本発明の実施の形態に係る電解式浄水装置の制御系を示すブロック図である。
【図５】本発明の実施の形態に係る電解式浄水装置を構成する電解装置であって、（ａ）は正面図、（ｂ）は（ａ）のＡ部拡大図である。
【図６】本発明の実施の形態に係る電解式浄水装置を構成する電解装置であって、（ａ）は側断面図、（ｂ）は（ａ）のＢ部拡大図である。
【図７】本発明の実施の形態に係る電解式浄水装置の動作を示すフローチャートである。
【発明を実施するための形態】
【００２３】
以下、本発明を実施するための実施の形態に係る電解式浄水装置について、図面を参照しながら詳細に説明する。
【００２４】
この実施の形態に係る電解式浄水装置１は、家庭で使用される浄水装置であり、図１に示すように、直方体状に成形された筐体２内に、後述する冷水タンク２２（本発明の処理水タンク）、温水タンク２３、加圧ポンプ１５等が収容されている。そして、上記筐体２の正面のやや上方には、凹部２ａが形成され、この凹部２ａ内には、冷水用吐水口３（本発明の吐水部）と、この冷水用吐水口３に並んだ温水用吐水口４とが配置されている。上記冷水用吐水口３は、後述する冷水タンク（本発明を構成する処理水タンク）２２内の飲用水が吐水される部位であり、上記温水用吐水口４は、後述する温水タンク２３内の飲用水が吐水される部位である。そして、上記冷水用吐水口３の後方には、開閉弁を構成する冷水用開閉操作レバー５が配置され、上記温水用吐水口４の後方には、開閉弁を構成する温水用開閉操作レバー６が配置されている。
【００２５】
これら冷水用開閉操作レバー５及び温水用開閉操作レバー６は、何れも図示しない開閉弁に連結されてなるものであって、図示しない弾性材により正面方向（閉方向に）に付勢されてなるものであり、図示しないコップ等の容器を介して（又は使用者の手指により）使用者により後方に押圧されることにより、上記冷水用吐水口３や温水用吐水口４から冷水又は温水を吐水するものである。なお、上記凹部２ａ内の上記冷水用吐水口３や温水用口４の下方には、図示しないコップが載置できる受板２ｆが配置されている。この受板２ｆには、上記冷水用吐水口３や温水用吐水口４から吐水された冷水又は温水が通過する透孔２ｇが形成され、この透孔２ｇの下方には、一端が図示しない排水用タンクに接続された図示しない排水用チューブの他端が接続されている。また、図１に示す筐体２の右側板２ｄには、酸素ガスを吸引するための酸素吸引チューブ７が配置され、この酸素吸引チューブ７の基端が後述する電解装置３２（本発明の水素ガス生成部）の酸素ガス吐出口３９ｄに接続されている。
【００２６】
また、上記凹部２ａの上方には、上正面パネル２ｂが固定され、この上正面パネル２ｂには、円形状の表示パネル８と、この表示パネル８の下方に配置された操作パネル９とが配置されている。これらのうち、図２（ａ）に示す一方の表示パネル８の上方中央には、図４に示す制御装置２０に接続された電源作動ランプ８Ａが配置され、電解式浄水装置１の電源がＯＮの状態において緑色に点灯され、ＯＦＦの状態において消灯される。この電源作動ランプ８Ａの下方左側には、制御装置２０に接続された温水状態表示ランプ８Ｂが配置され、後述する温水タンク２３内の水温が所定温度に加温されている状態のときに赤色に点灯され、常温の状態のときに消灯される。また、上記電源作動ランプ８Ａの下方右側には、制御装置２０に接続された冷水状態表示ランプ８Ｃが配置され、後述する冷水タンク２２内の水温が所定温度に冷却されている状態のときに青色に点灯され、常温の状態のときに消灯される。
【００２７】
また、上記温水状態表示ランプ８Ｂの下方には、制御装置２０に接続された水素・酸素生成中ランプ８Ｄが配置され、後述する電解装置３２の作動により水素ガス及び酸素ガスが生成中において青色が点灯される。また、上記冷水状態表示ランプ８Ｃの下方には、制御装置２０に接続された水素・酸素休止中ランプ８Ｅが配置され、後述する電解装置３２の作動停止による水素ガス及び酸素ガスの生成休止中において橙色が点灯される。また、これら水素・酸素生成中ランプ８Ｄ及び水素・酸素休止中ランプ８Ｅの下方中央部には、制御装置２０に接続されたフィルタ交換警告ランプ８Ｆが配置されている。このフィルタ交換警告ランプ８Ｆは、制御装置２０に接続されたフィルタ交換タイマ９Ｇが設定時間に到達した作動信号により、後述するセディメントフィルタ１２及びカーボンフィルタ１３（本発明の浄水処理部）の交換時期を警告するための赤色が点灯され、常時は消灯されている。なお、上記フィルタ交換タイマ９Ｇの設定時間は、水道水の浄水性を維持するために約４４００時間（約６か月）に設定されている。
【００２８】
また、図２（ｂ）に示す他方の操作パネル９の左端には、図４に示す制御装置２０に接続され、「ＯＸＩ」と表示された酸素放出スイッチ９Ａが配置されている。この酸素放出スイッチ９Ａは、該酸素放出スイッチ９Ａが消灯中であるとともに、上記水素・酸素休止中ランプ８Ｅが点灯中であって、後述する電解装置３２により酸素ガスが生成されていない休止中の任意の時期に、手動で押すことにより該酸素放出スイッチ９Ａのオン・オフ表示部が点灯されるとともに、該電解装置３２の作動が開始されて上記酸素吸引チューブ７から酸素ガスを吸引することができる。また、この酸素放出スイッチ９Ａの右側には、制御装置２０に接続され、「ＨＯＴ」と表示された温水温度スイッチ９Ｂが配置されている。この温水温度スイッチ９Ｂは、該温水温度スイッチ９Ｂが点灯中であるとともに、上記温水状態表示ランプ８Ｂが点灯中であって、後述する温水タンク２３内の水温が所定温度に加温されている状態（温水の状態）の任意の時期に、手動で押すことにより該温水温度スイッチ９Ｂのオン・オフ表示部が消灯されるとともに、後述するヒーター２７の作動が停止されて上記温水タンク２３内の水温が所定温度に加温されない状態（常温の状態）になる。
【００２９】
また、上記温水温度スイッチ９Ｂの右側には、制御装置２０に接続された光照度センサ９Ｃが配置されている。この光照度センサ９Ｃは、室内の照度を感知して設定照度におい設定照度に達した場合には明信号を出力し、設定照度に達しない場合には暗信号をするものであって、例えば、室内が設定照度の明るさに達したときには、明信号を出力して電解式浄水装置１を作動開始させ自動運転が維持されるとともに、設定照度よりも暗くなったときには、暗信号を出力して電解式浄水装置１の自動運転を停止させ休止状態が維持される。
【００３０】
また、上記光照度センサ９Ｃの右側には、制御装置２０に接続され、「ＣＯＬＤ」と表示された冷水温度スイッチ９Ｄが配置されている。この冷水温度スイッチ９Ｄは、該冷水温度スイッチ９Ｄが点灯中であるとともに、上記温冷水状態表示ランプ８Ｃが点灯中であって、後述する冷水タンク２２内の水温が所定温度に冷却されている状態（冷水の状態）の任意の時期に、手動で押すことにより該冷水温度スイッチ９Ｄのオン・オフ表示部が消灯されるとともに、後述するクーラー２４の作動が停止されて、上記冷水タンク２２内の水温が所定温度に維持されない状態（常温の状態）になる。また、上記冷水温度スイッチ９Ｄの右側には、制御装置２０に接続され、「ＲＥＳＥＴ」と表示されたタイマリセットスイッチ９Ｅが配置されている。このタイマリセットスイッチ９Ｅは、前記フィルタ交換警告ランプ８Ｆの点灯による警告に基づき、後述するセディメントフィルタ１２及びカーボンフィルタ１３を交換した後に前記フィルタ交換タイマ９Ｇの作動を開始させるべく、上記タイマリセットスイッチ９Ｅを押すことにより該タイマリセットスイッチ９Ｅのオン・オフ表示部が点灯されるとともに、カウント時間が零（０）にリセットされる。
【００３１】
また、上記凹部２ａの下方には、下正面パネル２ｃが着脱自在に取り付けられ、この下正面パネル２ｃの後方（上記筐体２内）には、後述する冷水タンク２２，温水タンク２３、排水用タンク（図示は省略）等が収容されている。これらの構成を含めて、以下、図３に示す模式図を参照しながらこの実施の形態に係る電解式浄水装置１を説明する。
【００３２】
この電解式浄水装置１は、公共の上水道に配管（符号は省略する。）及び止水弁１１を介して接続されており、この配管にはセディメントフィルタ１２が接続されている。このセディメントフィルタ１２では、図示しない５〜６μｍの孔により上水道から給水された水中の錆や砂、塵埃などをはじめ、微細な不純物が取り除かれる。このセディメントフィルタ１２には、カーボンフィルタ１３が接続され、このカーボンフィルタ１３の図示しない活性炭の吸着作用により、上記セディメントフィルタ１２を経た水中の塩素化合物や薄い色素，臭気等が吸着される。また、このカーボンフィルタ１３には、電磁弁１４を介して加圧ポンプ１５が接続され、上水道から給水された水が下流側に圧送される。これら電磁弁１４及び加圧ポンプ１５は、図４に示す制御装置２０に接続され、後述する予備タンク１８内のフロートスイッチ２１の作動により駆動又は停止される。
【００３３】
また、図３に示す上記加圧ポンプ１５には、逆浸透膜フィルタ１６（本発明の純水生成部）が接続され、この逆浸透膜フィルタ１６では、０．０００１μｍ（頭髪の約１００万分の１）の図示しない微孔を有する半透膜によって、上記加圧ポンプ１５から圧送された水から重金属、各種細菌や有機化合物などの不純物が約９５％取り除かれた純水が得られるとともに、透過できずに不純物を含む水は下部に接続された排水用チューブ（符号は省略する。）から外部に排出される。また、この逆浸透膜フィルタ１６には、一方の鉱石フィルタ１７が接続されるとともに、他方の分岐継手（符号は省略する。）を介してイオン交換樹脂フィルタ３１が接続されている。
【００３４】
これらのうち、一方の鉱石フィルタ１７には、図示しない天然鉱石の医王石、長石、トルマリン等が積層されており、該一方の鉱石フィルタ１７を純水が通過することにより、該純水にはミネラル成分が溶解される。この鉱石フィルタ１７には、さらに予備タンク１８が接続され、この予備タンク１８内に上記鉱石フィルタ１７から吐水された水が貯留される。また、この予備タンク１８には、貯留された水を所定量に維持するためのフロートスイッチ２１が内設されているとともに、該予備タンク１８の下部には、冷水タンク２２と、温水タンク２３とがそれぞれ接続されている。上記フロートスイッチ２１は、中空状に密閉され水面上で浮動可能な浮動体２１ａと、この浮遊体２１ａを支持するＬ字状の支持体２１ｂと、上記浮動体２１ａの上下動により上記支持体２１ｂを介して電気的にＯＮ／ＯＦＦ作動するマイクロスイッチ２１ｃとにより構成されている。なお、本発明の純水を処理水タンクに供給する供給ルートは、上記鉱石フィルタ１７及び予備タンク１８により構成されている。
【００３５】
したがって、上記予備タンク１８内の貯留水量が一定量だけ減少すると上記浮動体２１ａの先端側が下降し、この下降により上記支持体２１ｂを介して、図４に示す制御装置２０に接続されたマイクロスイッチ２１ｃの通電がＯＮとなって、上記電磁弁１４が開かれるとともに加圧ポンプ１５が駆動され、予備タンク１８内に鉱石フィルタ１７を通過した水が補充される。また、上記予備タンク１８内の貯留水量が所定量に達すると、上記マイクロスイッチ２１ｃの通電がＯＦＦとなって、上記電磁弁１４が閉じられるとともに加圧ポンプ１５が停止され、予備タンク１８内に上記鉱石フィルタ１７を通過した水は補充されなくなる。
【００３６】
そして、上記予備タンク１８の下方には、それぞれ管体（符号は省略する。）を介して冷水タンク２２と、温水タンク２３が接続されている。上記冷水タンク２２には、貯留された水を冷却するためのクーラー２４が装着されているとともに、貯留された冷水の温度を所定温度に維持すべく温度検出する冷水用サーモスタット２５が、温度検出部２５ａを水中に配置して装着されている。これらのうち、クーラー２４及び冷水用サーモスタット２５は図４に示す制御装置２０に接続され、冷水タンク２２内の水温が所定の温度以上に上昇した場合には、上記冷水用サーモスタット２５の通電がＯＮとなることにより、クーラー２４が駆動されて上記貯留水の水温が冷却される。これに対して、水温が所定の温度まで下降した場合には、上記冷水用サーモスタット２５の通電がＯＦＦとなることにより、クーラー２４の駆動が停止される。また、上記冷水タンク２２には、先端が冷水を吐水する前記冷水用吐水口３とされた管体（符号は省略する。）が接続されている。したがって、前記冷水用開閉操作レバー５を後方に操作すると、上記冷水タンク２２内に貯留された冷水は、自重により上記冷水用吐水口３から吐水され、この吐水量に応じて、前記予備タンク１８に貯留された水が落差（自重）により冷水タンク２２に補充される。
【００３７】
また、上記温水タンク２３には、貯留された水を加温するためのヒーター２７が装着されているとともに、該温水タンク２３に貯留された温水の温度を所定温度に維持すべく温度検出する温水用サーモスタット２８が、温度検出部２８ａを水中に配置して装着されている。これらのうち、ヒーター２７及び温水用サーモスタット２８は、図４に示す制御装置２０に接続され、温水タンク２３内の水温が所定の温度以下に下降した場合には、上記温水用サーモスタット２８の通電がＯＮとなることにより、ヒーター２７が作動されて上記貯留水の水温が加温される。これに対して、水温が所定の温度まで上昇した場合には、上記温水用サーモスタット２８の通電がＯＦＦとなることにより、ヒーター２７の作動が停止される。また、上記温水タンク２３には、先端が前記温水用吐水口４となされた管体（符号は省略する。）が接続されている。また、この温水タンク２３への水の補充は、上記温水用吐水口４から温水が吐出されると、前記予備タンク１８に貯留された水が管体を介して該温水タンク２３に落差（自重）により補充される。
【００３８】
また、上述した逆浸透膜フィルタ１６から分岐して接続された他方のイオン交換樹脂フィルタ３１では、イオン交換樹脂のイオン交換作用により、上記逆浸透膜フィルタ１６から圧送された純水中のカルシウムや炭酸ガスなどや、殺菌のために水中に存在する残留塩素が除去された超純水が生成される。このイオン交換樹脂フィルタ３１には、該イオン交換樹脂フィルタ３１から圧送された超純水を電気分解して、水素ガスと酸素ガスとを生成するための電解装置（本発明の水素ガス生成部）３２が接続されている。この電解装置３２は、図５及び図６に示すように、水を収容可能な外側容器３３と、この外側容器３３の内側上部に隙間を形成して配置され内側に水を収容可能な内側容器３４と、これら外側容器３３及び内側容器３４の上端に固定された容器蓋３５と、この容器蓋３５の上面に固定された支持蓋３７と、この支持蓋３７に固定された水素ガス用ダクト３８及び酸素ガス用ダクト３９とから構成された構造体をなしている。
【００３９】
これらのうち、上記外側容器３３は、図６に示すように、下方側に水（電解液）を貯留可能な胴部３３ａが形成され、この胴部３３ａの下方には、貯留された水を排出するための排出口３３ｂが形成されている。この排出口３３ｂには手動により開閉される開閉弁４１（図３参照）が配置されている。この開閉弁４１による排水は、電解装置３２内に後述する電気分解により析出されたスケールなどを除去するための排水であって、この電解装置３２内には、前記逆浸透膜フィルタ１６及びイオン交換フィルタ３１により濾過された純水が供給されることから、スケールなどの蓄積が少なく、約１年に１回程度の排水がなされる。また、上記外側容器３３には、上記胴部３３ａと連続する上方にＶ字状に傾斜して拡幅された拡幅部３３ｄが形成され、この拡幅部３３ｄと連続する上部に起立された起立部３３ｆが形成されており、これらの図５に示す左右方向の側部は図示しない側板により封止されているとともに、上記起立部３３ｆの上部は、上記容器蓋３５に固定されている。
【００４０】
また、前記内側容器３４は、下端に水が流通可能な流通口３４ａが形成され、この流通口３４ａから上方にＶ字状に傾斜して拡幅された拡幅部３４ｂが形成され、この拡幅部３４ｂと連続する上部に起立された起立部３４ｃが形成されており、この起立部３４ｃの上部は、前記容器蓋３５に固定されている。そして、前記外側容器３３の拡幅部３３ｄ及び起立部３３ｆと、上記内側容器３４の拡幅部３４ｂ及び起立部３４ｃとの間には、後述する水素ガスが流通可能な水素ガス流路４３と、後述する酸素ガスが流通可能な酸素ガス流路４４とが形成される。
【００４１】
また、前記水素ガス用ダクト３８は、下端に上記水素ガス流路４３からの水素ガスが流通可能な開口（符号は省略する。）が形成され、この開口と連続する上方に起立された下側起立部３８ａが形成され、この下側起立部３８ａと連続する上方に縮幅された縮幅部３８ｂが形成され、この縮幅部３８ｂと連続する上方に起立された水素ガス吐出部３８ｃが形成されている。この水素ガス吐出部３８ｃの上端には、水素ガスを吐出可能に開口された水素ガス吐出口３８ｄが形成され、この水素ガス吐出口３８ｄは配管部材５６により図３に示すカーボンエアフィルタ５７に接続されている。また、上記縮幅部３８ｂは、図５に示すように、左右から中央に向かって高くなる山形状に形成されており、この山形状の頂部に上記水素ガス吐出部３８ｃが形成されていることから、後述する陰極電解板５１により生成された水素ガスが、該水素ガス吐出部３８ｃに効率的に集中させられる。
【００４２】
また、前記酸素ガス用ダクト３９は、下端に前記酸素ガス流路４４からの酸素ガスが流通可能な開口（符号は省略する。）が形成され、この開口と連続する上方に起立された下側起立部３９ａが形成され、この下側起立部３９ａと連続する上方に縮幅された縮幅部３９ｂが形成され、この縮幅部３８ｂと連続する上方に起立された酸素ガス吐出部３９ｃが形成されている。この酸素ガス吐出部３９ｃの上端には、酸素ガスを吐出可能に開口された酸素ガス吐出口３９ｄが形成され、この酸素ガス吐出口３９ｄは配管部材５８により図３に示す酸素送出用ファン５９に接続されている。また、上記縮幅部３９ｂは、図示は省略するが、上記水素ガス用ダクト３８の縮幅部３８ｂと同様に、左右から中央に向かって高くなる山形状に形成されており、この山形状の頂部に上記酸素ガス吐出部３９ｃが形成されていることから、後述する陽極電解板５２により生成された酸素ガスが、該酸素ガス吐出部３９ｃに効率的に集中させられる。
【００４３】
また、上記電解装置３２には、上記容器蓋３５に、図５及び図６に示すように、給水継手４６が固定され、この給水継手４６には、前記イオン交換樹脂フィルタ３１からの超純水を供給するための給水穴４６ｃが形成されている。この給水継手４６の上端側には、上記イオン交換樹脂フィルタ３１の吐出口と接続するチューブ（符号は省略する）を固定するためのチューブ固定部４６ａが成形され、このチューブ固定部４６ａの下方には、後述するフロート弁体４７を装着する弁体装着部４６ｂが一体的に成形されている。この弁体装着部４６ｂには、上記給水穴４６ｃよりも大径の吐出穴４６ｄが形成され、この吐出穴４６ｄの上端には、上記給水穴４６ｃに向かって縮径するテーパ面を有するテーパ穴４６ｆが形成されているとともに、上記弁体装着部４６ｂの一部はフロート弁体４７の後述する支持体４７ｃが回動可能な切欠き（符号は省略する）が形成されている。
【００４４】
また、上記電解装置３２には、上記給水継手４６の弁体装着部４６ｂに、上記給水穴４６ｃから供給される超純水を所定の水量に維持するためのフロート弁体４７が装着されている。このフロート弁体４７は、上記超純水が所定量に達したときに該超純水の流入を阻止するものであって、中空状に密閉され水面上で浮動可能な浮動体４７ａと、弁棒４７ｂと、これら浮動体４７ａ及び弁棒４７ｂを支持するＬ字状の支持体４７ｃとから構成されている。この支持体４７ｃは、一端側に浮動体４７ａが固定され、他端側が、上記給水継手４６の弁体装着部４６ｂにピン４７ｄにより回動可能に支持されている。また、上記支持体４７ｃの他端側には、弁棒４７ｂが立設され、この弁棒４７ｂの上端には、上記支持体４７ｃが図５に示す反時計方向に回動することにより上記テーパ穴４６ｆと密着可能なテーパ面を有するテーパ凸部４７ｆが形成されている。
【００４５】
そして、上記フロート弁体４７は、上記電解装置３２内に貯留された超純水の水面が一定量だけ減水すると、上記浮動体４７ａの先端側が下降し、この下降により上記支持体４７ｃを介して、上記弁棒４７ｂのテーパ凸部４７ｆが上記給水継手４６のテーパ穴４６ｆから離隔して隙間が形成され、この隙間から内部に前記イオン交換樹脂フィルタ３１からの超純水が圧送される。また、上記電解装置３２内における超純水の貯留水量が増大すると、それに伴って上記浮動体４７ａの先端側が上昇し、該貯留水量が所定量に達した際には上記支持体４７ｃを介して、上記弁棒４７ｂのテーパ凸部４７ｆが上記給水継手４６のテーパ穴４６ｆに密着され、この密着状態により上記イオン交換樹脂フィルタ３１から圧送される超純水の供給は阻止される。
【００４６】
また、上記電解装置３２には、図６に示す内容器３４の胴部３３ａ内に、電気分解により水素ガス及び酸素ガスを生成する電解部４０が配置されている。この電解部４０は、上記胴部３３ａに陰極側電極棒４８及び陽極側電極棒４９が、絶縁状態で対向して固定されており、一方の陰極側電極棒４８には、板状に形成された表面にチタン白金めっきが施された陰極電解板５１が固定され、他方の陽極側電極棒４９には、板状に形成された表面にチタン白金めっきが施された陽極電解板５２が、上記陰極電解板５１と対面して固定されている。これら陰極電解板５１及び陽極電解板５２は、上記内容器３４の流通口３４ａの下方に配置され、陰極電解板５１と陽極電解板５２との対面する中央部には、イオン交換フィルム５３が隙間を形成して配置され、このイオン交換フィルム５３により、陰極電解板５１と陽極電解板５２とが分離されている。また、陰極電解板５１及び陽極電解板５２の周囲には、純水を自由に流通可能な網目を有するネット体５４が配置されている。
【００４７】
そして、このように構成された電解装置３２では、図６に示す陰極側電極棒４８と陽極側電極棒４９とにそれぞれ通電することにより、内部に貯留された純水（電解液）が電気分解され、一方の陰極電解板５１側に水素ガス（Ｈ２）が生成される。この水素ガスは、水素ガス流路４３を経て、水素ガス用ダクト３８の水素ガス吐出口３８ｄに吐出され、この水素ガス吐出口３８ｄと接続する配管部材５６（図３参照）を介して一方のカーボンエアフィルタ５７に送られる。また、他方の陽極電解板５２側には酸素ガス（Ｏ２）が生成され、この酸素ガスは、酸素ガス流路４４を経て、酸素ガス用ダクト３９の酸素ガス吐出口３９ｄに吐出され、この酸素ガス吐出口３９ｄと接続する配管部材５８を介して他方の酸素送出用ファン５９に送られる。
【００４８】
これらのうち、一方のカーボンエアフィルタ５７では、図示しないカーボン粉末などの濾過材により、上記電解装置３２で生成された水素ガス中に含まれる泡が除去される。このカーボンエアフィルタ５７には、管体（符号は省略する。）を介して循環ポンプ６２が接続されている。この循環ポンプ６２は上記電解装置３２の作動時にのみ駆動されるものであって、該循環ポンプ６２には、上記カーボンエアフィルタ５７と接続されるガス吸入口６２ａと、上述した冷水タンク２２に一端が接続された管体（符号は省略する。）の他端と接続された水吸入口６２ｂとが配置され、該循環ポンプ６２の駆動時において、一方のガス吸入口６２ａにより上記カーボンエアフィルタ５７からの水素ガスが吸入されるとともに、他方の水吸入口６２ｂにより上記冷水タンク２２内からの水が吸入される。
【００４９】
そして、上記循環ポンプ６２では、図示しないポンプ機構により、吸入された水素ガス（Ｈ２）と水（Ｈ２Ｏ）とが図示しないポンプ機構により混合され、水中に水素を溶存した水素水（Ｈ２＋Ｈ２Ｏ）として吐出口６２ｃから圧送される。この循環ポンプ６２の吐出口６２ｃは、管体（符号は省略する。）を介して気泡微細化フィルタ６３に接続されている。この気泡微細化フィルタ６３は、０．０００１μｍ（頭髪の約１００万分の１）の図示しない微孔を有する半透膜が内蔵されてなるものであって、該半透膜によって、上記循環ポンプ６２から圧送された水素ガスの気泡を微細化させ、水素水中の溶存水素量を高める作用をする。この気泡微細化フィルタ６３は、管体（符号は省略する。）を介して上記冷水タンク２２に接続されている。
【００５０】
したがって、図３に示すように、気泡微細化フィルタ６３からの水素水は、上記冷水タンク２２内に圧送されて貯留され、この冷水タンク２２内に貯留された水素水は、上記循環ポンプ６２が駆動されることにより、該循環ポンプ６２の水吸入口６２ｂから吸引されるとともに、ガス吸入口６２ａから吸引された上記カーボンエアフィルタ５７からの水素ガスと混合され、該循環ポンプ６２の吐出口６２ｃから上記気泡微細化フィルタ６３を経て、再び上記冷水タンク２２内に圧送されて貯留される。すなわち、上記冷水タンク２２内に貯留された水素水は、本発明の循環ルートを構成する冷水タンク２２、循環ポンプ６２及び気泡微細化フィルタ６３を経て循環することにより、処理水中の溶存水素量が徐々に増加することとなり、使用者は溶存水素量が飽和状態に近い状態で飲用することが可能となる。
【００５１】
また、上記電解装置３２に接続された他方の酸素送出用ファン５９は、上記電解装置３２が作動中にのみ駆動されるものであって、この酸素送出用ファン５９の駆動時において、上記電解装置３２により生成された酸素を該電解装置３２から吸引するとともに、該酸素送出用ファン５９を経て図１に示す酸素吸引チューブ７内に送出される。そして、使用者は、上記電解装置３２が作動中において、上記酸素吸引チューブ７の酸素ガス放出口７ａから酸素ガスを吸引することができる。
【００５２】
なお、上記電解装置３２は、上述した光照度センサ９Ｃの明信号により作動され、又は、該光照度センサ９Ｃからの暗信号により作動されない状態においても上記酸素放出スイッチ９Ａを押すことにより（強制的に）作動され、この電解装置３２の作動と同時に、上記循環ポンプ６２と酸素送出用ファン５９とがそれぞれ駆動される。また、これら電解装置３２等が作動する時間は、図４に示す制御装置２０に接続された水素生成作動タイマ９Ｈにより１５分に設定され、電解装置３２等が作動を停止して休止する時間は、制御装置２０に接続された水素生成休止タイマ９Ｉにより４５分に設定されている。これらの設定時間は、上述した設定時間に限定されるものではなく、冷水用吐水口３から水素水を飲用する頻度により自由に変更することができる。
【００５３】
次に、上記電解式浄水装置１により水素ガスを生成して水素水を貯留するとともに、酸素ガスを生成する手順及び作用効果について、図７に示すフローチャートを参照して説明する。この電解式浄水装置１を作動させる前の準備段階において、前記水素生成作動タイマ９Ｈの設定時間は１５分間に設定され、水素生成休止タイマ９Ｉの設定時間は４５分に設定され、また、光照度センサ９Ｃの設定照度は上記電解式浄水装置１の使用時間帯に対応した照度（日照時間体における室内の照度）に設定されている。また、図１に示す止水弁１１は、手動により予め開放されている。
【００５４】
最初のステップＳｔ１において、前記予備タンク１８の水量は所定量か否かが、前記フロートスイッチ２１のマイクロスイッチ２１ｃを介して制御装置２０により判別され、所定量に達していないと判別された場合にはステップＳｔ２に進み、所定量に達していると判別された場合には次のステップＳｔ３に進む。これらのうち、ステップＳｔ２に進んだ場合には、前記電磁弁１４が開放されるとともに、前記加圧ポンプ１５が駆動され、前記セディメントフィルタ１２、カーボンフィルタ１３、電磁弁１４、逆浸透膜フィルタ１６及び鉱石フィルタ１７を経て純水化された水が圧送されて上記予備タンク１８に補充され、ステップＳｔ１に戻って繰返し予備タンク１８の水量は所定量か否かが判別される。なお、上記加圧ポンプ１５により圧送される水は、上記逆浸透膜フィルタ１６からイオン交換樹脂フィルタ３１にも分岐され、前記電解装置３２に配置された給水継手４６のテーパ穴４６ｆが開放されている場合には、上記電解装置３２内にも純水化されて水が補充される。
【００５５】
また、次のステップＳｔ３に進んだ場合には、光照度センサ９Ｃの照度は設定照度か否かが、前記光照度センサ９Ｃを介して制御装置２０により判別され、設定照度に達していないと判別された場合には、ステップＳｔ３に戻って繰り返され、設定照度に達していると判別された場合には、次のステップＳｔ４に進む。次のステップＳｔ４に進んだ場合には、上記電解装置３２が作動されるとともに、前記循環ポンプ６２及び酸素送出用ファン５９が駆動されて、上記電解装置３２の電解作用により水素ガスと酸素ガスとが生成され、次のステップＳｔ５に進む。なお、上記ステップＳｔ４において上記電解装置３２の作動が開始されると、図２に示す表示パネル８の水素・酸素生成中ランプ８Ｄが点灯され、この点灯状態は、後述するステップＳｔ６において上記電解装置３２の作動が停止されるまでの間に亘り継続される。また、上記電解装置３２により生成された水素ガスは、前記カーボンエアフィルタ５７を経て上記循環ポンプ６２に吸引されて前記冷水タンク２２からの水素水と混合され、気泡微細化フィルタ６３を経て水素ガスが溶存された水素水として再び上記冷水タンク２２に戻される。これらの循環ルートを経て循環することにより、処理水中の溶存水素量が徐々に増加することとなり、使用者は溶存水素量が飽和状態に近い状態で飲用することが可能となる。また、上記電解装置３２により生成された酸素ガスは、上記酸素送出用ファン５９により送出され、前記酸素吸引チューブ７の先端から吸引することができる。
【００５６】
また、次のステップＳｔ５では、上記電解装置３２等の作動時間は１５分間経過したか否かが、前記水素生成作動タイマ９Ｈを介して制御装置２０により判別され、上記電解装置３２等の作動時間が１５分間経過していないと判別された場合には、ステップＳｔ４に戻って繰り返され、上記電解装置３２等の作動時間が１５分間経過していると判別された場合には、次のステップＳｔ６に進む。次のステップＳｔ６に進んだ場合には、上記電解装置３２の作動が停止されるとともに、前記循環ポンプ６２及び酸素送出用ファン５９の駆動が停止されて、上記電解装置３２による水素ガスと酸素ガスとの生成は休止され、次のステップＳｔ７に進む。なお、上記ステップＳｔ６において上記電解装置３２の作動が停止されると、図２に示す表示パネル８の水素・酸素休止中ランプ８Ｅが点灯され、この点灯は、次回のステップＳｔ４において上記電解装置３２の作動が開始されるまでの間に亘り継続される。
【００５７】
次のステップＳｔ７では、酸素放出スイッチ９ＡがＯＮであるか否かが、該酸素放出スイッチ９Ａを介して制御装置２０により判別され、ＯＮであると判別された場合には、ステップＳｔ４に戻って、繰り返し、上記電解装置３２が作動されるとともに、前記循環ポンプ６２及び酸素送出用ファン５９が駆動されて、上記電解装置３２の電解作用により水素ガスと酸素ガスとが生成され、ＯＮではない（ＯＦＦである）と判別された場合には、次のステップＳｔ８に進む。なお、上記ステップＳｔ４において、酸素放出スイッチ９ＡがＯＮであると判別される条件は、前記水素・酸素休止中ランプ８Ｅが点灯していて水素ガス及び酸素ガスが生成されていないにもかかわらず、使用者が酸素ガスを吸引したいために、上記酸素放出スイッチ９Ａが押されていることが条件となる。
【００５８】
次のステップＳｔ８に進んだ場合には、電解装置３２等の休止時間は４５分間経過したか否かが、前記水素生成休止タイマ９Ｉを介して制御装置２０により判別され、上記電解装置３２等の休止時間が４５分間経過していないと判別された場合には、ステップＳｔ６に戻って繰り返され、上記電解装置３２等の作動時間が４５分間経過していると判別された場合には、ステップＳｔ３に戻って繰り返される。
【００５９】
以上のように、本実施の形態に係る電解式浄水装置１は、常時連続的に運転されるものではなく、例えば、水素水の飲用や酸素ガスの摂取を必要としない深夜（就寝中）には、前記光照度センサ９Ｃにより室内の照度を感知して運転が休止されるとともに、休止されてない場合であっても、前記水素生成作動タイマ９Ｈ又は水素生成休止タイマ９Ｉにより、前記電解装置３２、循環ポンプ６２及び酸素送出用ファン５９が１５分間駆動され４５分間停止されるサイクルを繰り返すものである。したがって、この電解式浄水装置１では、処理水中の溶存水素量を一定量に保つことができるばかりではなく、節電をも図ることができる。
【００６０】
なお、図２に示す表示パネル８の冷水状態表示ランプ８Ｃと、操作パネル９の冷水温度スイッチ９Ｄとが点灯中（冷却中）に、該冷水温度スイッチ９Ｄを押してＯＦＦ操作することにより、上述したクーラー２４が停止される。これによって、使用者は常温の水素水を飲用することができる。この冷水温度スイッチ９ＤによるＯＮ／ＯＦＦ操作は、上述した自動運転中の任意の時期に操作することができる。また、図２に示す表示パネル８の温水状態表示ランプ８Ｂと、操作パネル９の温水温度スイッチ９Ｂとが点灯中（加温中）に、該温水温度スイッチ９Ｂを押してＯＦＦ操作することにより、上述したヒーター２７が停止される。これによって、使用者は常温の純水を飲用することができる。この温水温度スイッチ９ＢによるＯＮ／ＯＦＦ操作は、上述した自動運転中の任意の時期に操作することができる。
【符号の説明】
【００６１】
１  電解式浄水装置
２  筐体
３  冷水用吐水口
４  温水用吐水口
７  酸素吸引チューブ
７ａ  酸素ガス放出口
１２  セディメントフィルタ
１３  カーボンフィルタ
１５  加圧ポンプ
１６  逆浸透膜フィルタ
１７  鉱石フィルタ
１８  予備タンク
２０  制御装置
２２  冷水タンク
２３  温水タンク
３１  イオン交換樹脂フィルタ
３２  電解装置
３８ｄ  水素ガス吐出口
３９ｄ  酸素ガス吐出口
４０  電解部
５１  陰極電解板
５２  陽極電解板
５７  カーボンエアフィルタ
５９  酸素送出用ファン
６２  循環ポンプ
６３  気泡微細化フィルタ
【図１】
2010207691.tif 000003
【図２】
2010207691.tif 000004
【図３】
2010207691.tif 000005
【図４】
2010207691.tif 000006
【図５】
2010207691.tif 000007
【図６】
2010207691.tif 000008
【図７】
2010207691.tif 000009